【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
インクが内包された可撓性のインクパックのインク残量が予め設定した残量以下となる閾値に達したか否かを監視し、
前記閾値に達したことが検出されていない場合には、加圧ポンプを駆動して前記加圧ポンプの加圧量を予め設定した第１設定加圧量として前記インクをインクジェットに連通するインク流路に供給し、
前記閾値に達したことが検出されている場合には、前記加圧ポンプを駆動して前記加圧ポンプの加圧量を前記第１設定加圧量よりも高い第２設定加圧量とすることを特徴とするインクジェットプリンターのインク供給制御方法。
【請求項２】
前記加圧ポンプはレギュレーターを備え、
前記加圧ポンプの前記第２設定加圧量をＰ２、前記レギュレーターが動作する動作設定圧力をＳＰ、前記レギュレーターの動作が前記動作設定圧力に対してバラつく圧力範囲を±αとしたときに、以下の条件式（１）を満たす請求項１に記載のインクジェットプリンターのインク供給制御方法。
Ｐ２＞ＳＰ−α            （１）
【請求項３】
前記加圧ポンプの動作が目標とする目標加圧量に対してバラつく圧力範囲を±βとしたときに、以下の条件式（２）を満たす請求項２に記載のインクジェットプリンターのインク供給制御方法。
Ｐ２−β＞ＳＰ−α      （２）
【請求項４】
予め、前記第２設定加圧量となるまで前記加圧ポンプを駆動した後に前記加圧ポンプを停止し、前記加圧ポンプが停止した時点からの時間経過に伴って減少する前記加圧ポンプの加圧量を実測し、実測結果を前記時間経過と前記加圧ポンプの加圧量の変化とを関係付けた加圧量変化情報として記憶保持し、
前記閾値に達したことが検出されると、前記加圧ポンプを駆動して前記加圧ポンプの加圧量を前記第２設定加圧量に到達させる加圧動作を行って前記加圧ポンプを停止し、
前記加圧ポンプを停止した加圧停止時点からの経過時間を計測し、前記加圧停止時点からの前記インクジェットヘッドによるインク使用量を取得し、
前記加圧停止時点からの前記加圧ポンプの加圧量を、前記加圧量変化情報、前記加圧動作、前記時間経過およびインク使用量に基づいて算出して予測加圧量として取得する請求項２または３に記載のインクジェットプリンターのインク供給制御方法。
【請求項５】
前記予測加圧量が前記第１設定加圧量よりも高く前記第２設定加圧量よりも低い下限加圧量以下となると、前記加圧ポンプを駆動して前記予測加圧量を前記第２設定加圧量に到達させる第２の加圧動作を行う請求項４に記載のインクジェットプリンターのインク供給制御方法。
【請求項６】
インクを吐出するインクジェットヘッドと、
インクが内包された可撓性のインクパックを加圧して前記インクを前記インクジェットヘッドに連通するインク流路に供給する加圧ポンプと、
前記インクパックのインク残量が予め設定した残量以下となる閾値に達したか否かを監視するインク残量監視部と、
前記閾値に達したことが検出されていない場合には、前記加圧ポンプを駆動して前記加圧ポンプの加圧量を予め設定した第１設定加圧量とし、前記閾値に達したことが検出されている場合には、前記加圧ポンプを駆動して前記加圧ポンプの加圧量を前記第１設定加圧量よりも高い第２設定加圧量とする加圧制御部と、
を有することを特徴とするインクジェットプリンター。
【請求項７】
前記加圧ポンプはレギュレーターを備え、
前記加圧ポンプの前記第２設定加圧量をＰ２、前記レギュレーターが動作する動作設定圧力をＳＰ、前記レギュレーターの動作が前記動作設定圧力に対してバラつく圧力範囲を±αとしたときに、以下の条件式（１）を満たす請求項６に記載の特徴とするインクジェットプリンター。
Ｐ２＞ＳＰ−α            （１）
【請求項８】
前記加圧ポンプの動作が目標とする目標加圧量に対してバラつく圧力範囲を±βとしたときに、以下の条件式（２）を満たす請求項７に記載のインクジェットプリンター。
Ｐ２−β＞ＳＰ−α      （２）
【手続補正２】
【補正対象書類名】明細書
【補正対象項目名】０００７
【補正方法】変更
【補正の内容】
【０００７】
上記の課題を解決するために、本発明は、インクが内包された可撓性のインクパックのインク残量が予め設定した残量以下となる閾値に達したか否かを監視し、
前記閾値に達したことが検出されていない場合には、加圧ポンプを駆動して前記加圧ポンプの加圧量を予め設定した第１設定加圧量として前記インクをインクジェットに連通するインク流路に供給し、
前記閾値に達したことが検出されている場合には、前記加圧ポンプを駆動して前記加圧ポンプの加圧量を前記第１設定加圧量よりも高い第２設定加圧量とすることを特徴とする。
【手続補正３】
【補正対象書類名】明細書
【補正対象項目名】０００９
【補正方法】変更
【補正の内容】
【０００９】
本発明において、前記加圧ポンプはレギュレーターを備え、前記加圧ポンプの前記第２設定加圧量をＰ２、前記レギュレーターが動作する動作設定圧力をＳＰ、前記レギュレーターの動作が前記動作設定圧力に対してバラつく圧力範囲を±αとしたときに、以下の条件式（１）を満たすことが望ましい。
Ｐ２＞ＳＰ−α            （１）
レギュレーターを搭載する加圧ポンプは、一般的に、レギュレーターを動作させない範囲でその加圧量の上限値が設定される。すなわち、加圧ポンプの加圧量を設定する際には、レギュレーターの動作の誤差の範囲（動作設定圧力に対してバラつく圧力範囲）を考慮して、所望とする加圧量からこの誤差の範囲分を差し引いた値を設定加圧量とすることが行われる。これに対して、本発明では、レギュレーターが動作してもインクの供給動作に影響がないので、レギュレーターの動作の誤差の範囲を考慮せず、条件式（１）を満たすように加圧ポンプの第２設定加圧量を設定することができる。これにより、レギュレーターの動作の誤差の範囲を考慮した場合と比較して、第２設定加圧量が高い値となるので、残留インクをより少なくすることができる。
【手続補正４】
【補正対象書類名】明細書
【補正対象項目名】００１１
【補正方法】変更
【補正の内容】
【００１１】
本発明において、予め、前記第２設定加圧量となるまで前記加圧ポンプを駆動した後に前記加圧ポンプを停止し、前記加圧ポンプが停止した時点からの時間経過に伴って減少する前記加圧ポンプの加圧量を実測し、実測結果を前記時間経過と前記加圧ポンプの加圧量の変化とを関係付けた加圧量変化情報として記憶保持し、前記閾値に達したことが検出されると、前記加圧ポンプを駆動して前記加圧ポンプの加圧量を前記第２設定加圧量に到達させる加圧動作を行って前記加圧ポンプを停止し、前記加圧ポンプを停止した加圧停止時点からの経過時間を計測し、前記加圧停止時点からの前記インクジェットヘッドによるインク使用量を取得し、前記加圧停止時点からの前記加圧ポンプの加圧量を、前記加圧量変化情報、前記加圧動作、前記時間経過およびインク使用量に基づいて所定の間隔で算出して予測加圧量として取得することが望ましい。このようにすれば、加圧停止時点の後の加圧ポンプの加圧量を、圧力センサーを設けることなく、把握できる。
【手続補正５】
【補正対象書類名】明細書
【補正対象項目名】００１３
【補正方法】変更
【補正の内容】
【００１３】
次に、本発明は、インクを吐出するインクジェットヘッドと、インクが内包された可撓性のインクパックを加圧して前記インクを前記インクジェットヘッドに連通するインク流路に供給する加圧ポンプと、前記インクパックのインク残量が予め設定した残量以下となる閾値に達したか否かを監視するインク残量監視部と、前記閾値に達したことが検出されていない場合には、前記加圧ポンプを駆動して前記加圧ポンプの加圧量を予め設定した第１設定加圧量とし、前記閾値に達したことが検出されている場合には、前記加圧ポンプを駆動して前記加圧ポンプの加圧量を前記第１設定加圧量よりも高い第２設定加圧量とする加圧制御部と、を有することを特徴とする。
【手続補正６】
【補正対象書類名】明細書
【補正対象項目名】００１５
【補正方法】変更
【補正の内容】
【００１５】
本発明において、前記加圧ポンプはレギュレーターを備え、前記加圧ポンプの前記第２設定加圧量をＰ２、前記レギュレーターが動作する動作設定圧力をＳＰ、前記レギュレーターの動作が前記動作設定圧力に対してバラつく圧力範囲を±αとしたときに、以下の条件式（１）を満たすことが望ましい。
Ｐ２＞ＳＰ−α            （１）
このようにすれば、レギュレーターの動作の誤差の範囲を考慮した場合と比較して、第２設定加圧量が高い値となるので、残留インクをより少なくすることができる。